(57)【要約】【課題】オプチカルビューファインダーとエレクトリカルビューファインダーとを併用することで撮影画像を含み様々な情報報知機能の向上を図り、かつ、オプチカルビュー画像の状態に基づき、利便性を高める。【解決手段】ユーザーは撮影時に、接眼部１８を覗き込みながら構図を決める。対物レンズ２０にユーザーの指が接近し、指掛かりを発生させる。そこで、対物レンズ２０（すなわち、ＯＶＦ）に指が掛かることを利用し、指掛かり対応モード（情報表示モード、補間警告モード、簡易警告モード）を選択可能とした。例えば、情報表示モードでは、対物レンズ２０の下半分が指によって遮蔽されると、ＥＶＦＬＣＤ４４には、各種設定のメニュー画像が表示される。ユーザーが、このメニュー表示の中から、さらに、「感度」を選択すると、感度設定制御が立ち上がる。【選択図】図８
2012065283.tif 000002
【特許請求の範囲】
【請求項１】
少なくとも撮像素子で被写体を撮像した画像を含むエレクトリカルビュー画像を表示する表示部と、
前記表示部に表示されるエレクトリカルビュー画像を接眼部へ案内する光路、並びに光学的に入力される被写体のオプチカルビュー画像の何れかの単独画像を接眼部へ案内する光路を備え、何れか一方の単独画像、或いは双方の合成画像を接眼部へ案内する画像案内手段と、を備えたファインダー部と、
前記撮像素子で撮像している動画像を前記表示部に表示しながら、撮像指示操作に基づいて当該撮像素子で撮像し、当該撮像した画像をデジタル画像データとして記録する撮像モード、並びに前記撮像モードによって記録した画像を再生表示する再生モードを選択的に切り替えるモード切替手段と、
前記表示部へ、前記撮像モード中における撮像に関する撮像情報、前記再生モード中における再生に関する再生情報を表示する情報表示制御手段と、
前記オプチカルビュー画像の光路上の遮蔽状態を検出する遮蔽状態検出手段と、
前記遮蔽状態検出手段で検出される遮蔽状態に基づいて、予め定めた複数の遮蔽パターンの内、何れかの遮蔽パターンに属するか認識する認識手段と、
前記認識手段で認識され得る遮蔽パターン毎に、情報が対応付けられて記憶された記憶手段と、
前記認識された遮蔽パターンに基づいて、前記記憶手段から対応する情報を読み出し、当該情報に基づく処理を実行する処理実行制御手段と、
を有する撮像装置。
【請求項２】
少なくとも撮像素子で被写体を撮像した画像を含むエレクトリカルビュー画像を表示する表示部と、
前記表示部に表示されるエレクトリカルビュー画像を接眼部へ案内する光路、並びに光学的に入力される被写体のオプチカルビュー画像の何れかの単独画像を接眼部へ案内する光路を備え、何れか一方の単独画像、或いは双方の合成画像を接眼部へ案内する画像案内手段と、を備えたファインダー部と、
前記撮像素子で撮像している動画像を前記表示部に表示しながら、撮像指示操作に基づいて当該撮像素子で撮像し、当該撮像した画像をデジタル画像データとして記録する撮像モード、並びに前記撮像モードによって記録した画像を再生表示する再生モードを選択的に切り替えるモード切替手段と、
前記表示部へ、前記撮像モード中における撮像に関する撮像情報、前記再生モード中における再生に関する再生情報を表示する情報表示制御手段と、
前記オプチカルビュー画像の光路上の遮蔽状態を検出する遮蔽状態検出手段と、
前記遮蔽状態検出手段で検出される遮蔽状態に基づいて、予め定めた複数の遮蔽パターンの内、何れかの遮蔽パターンに属するか認識する認識手段と、
前記認識手段で認識された基本遮蔽パターン毎に、前記表示部に表示する前記撮像情報又は前記再生情報が対応付けられて記憶された記憶手段と、
前記認識され得る遮蔽パターンに基づいて、前記記憶手段から対応する前記撮像情報又は前記再生情報を読み出し、前記表示部に表示する項目表示制御手段と、
を有する撮像装置。
【請求項３】
前記表示部が、前記接眼部からのみ見ることができるように、前記ファインダー部の構成部品として組み込まれていることを特徴とする請求項１又は請求項２記載の撮像装置。
【請求項４】
前記オプチカルビュー画像が前記結像部へ至る光路上に配置され、前記接眼部へ至る光を遮る遮光手段をさらに有し、
前記認識手段で認識された遮蔽パターンに基づいて、前記遮光手段の遮光領域を制御し、前記オプチカルビュー画像が前記結像部へ至る光路領域を制限することを特徴とする請求項１〜請求項３の何れか１項記載の撮像装置。
【請求項５】
前記遮蔽状態検出手段が、前記オプチカルビュー画像の光路の入力面に設けられたタッチセンサであることを特徴とする請求項１〜請求項４の何れか１項記載の撮像装置。
【請求項６】
前記記憶手段には、前記撮像モードにおける撮像に不適切な状態を示す警告遮蔽パターンが記憶され、当該警告遮蔽パターンに対応付けて、撮像不適警告情報を記憶しておき、
前記認識手段で、前記警告遮蔽パターンを認識した場合には、前記撮像不適警告情報に基づく報知を実行することを特徴とする請求項１〜請求項５の何れか１項記載の撮像装置。
【請求項７】
前記記憶手段には、前記撮像モードにおける撮像に不適切な状態を示す補間遮蔽パターンが記憶され、当該補間遮蔽パターンに対応付けて、撮像補間情報を記憶しておき、
前記認識手段で、前記補間遮蔽パターンを認識した場合には、前記撮像補間情報に基づいて、前記表示部の表示状態を補間することを特徴とする請求項１〜請求項６の何れか１項記載の撮像装置。
【請求項８】
前記記憶手段に記憶する遮蔽パターンとして、前記遮蔽パターン、前記警告遮蔽パターン、前記補間遮蔽パターンの何れを有効とするかを選択する選択手段をさらに有する請求項７記載の撮像装置。
【請求項９】
少なくとも撮像素子で被写体を撮像した画像を含むエレクトリカルビュー画像を表示する表示部と、
前記表示部に表示されるエレクトリカルビュー画像を接眼部へ案内する光路、並びに光学的に入力される被写体のオプチカルビュー画像の何れかの単独画像を接眼部へ案内する光路を備え、何れか一方の単独画像、或いは双方の合成画像を接眼部へ案内する画像案内手段と、
前記オプチカルビュー画像の光路上の遮蔽状態を検出する遮蔽状態検出手段と、
前記遮蔽状態検出手段で検出される遮蔽状態に基づいて、予め定めた複数の遮蔽パターンの内、何れかの遮蔽パターンに属するか認識する認識手段と、
前記認識手段で認識され得る遮蔽パターン毎に、前記表示部に表示する情報が対応付けられて記憶された記憶手段と、
前記認識された遮蔽パターンに基づいて、前記記憶手段から対応する情報を読み出し、前記表示部に表示する表示制御手段と、
を有する表示装置。
【請求項１０】
前記オプチカルビュー画像が前記接眼部へ至る光路上に配置され、前記接眼部へ至る光を遮る遮光手段をさらに有し、
前記認識手段で認識された遮蔽パターンに基づいて、前記遮光手段の遮光領域を制御し、前記オプチカルビュー画像が前記接眼部へ至る光路領域を制限することを特徴とする請求項９記載の表示装置。
【請求項１１】
前記遮蔽状態検出手段が、前記オプチカルビュー画像の光路の入力面に設けられたタッチセンサであることを特徴とする請求項９又は請求項１０記載の表示装置。
【請求項１２】
少なくとも撮像素子で被写体を撮像した画像を含むエレクトリカルビュー画像を表示する表示部と、前記表示部に表示されるエレクトリカルビュー画像を接眼部へ案内する光路、並びに光学的に入力される被写体のオプチカルビュー画像の何れかの単独画像を接眼部へ案内する光路を備え、何れか一方の単独画像、或いは双方の合成画像を接眼部へ案内する画像案内手段と、を備えた表示装置における画像表示制御方法であって、
前記オプチカルビュー画像の光路上の遮蔽状態を検出し、
前記検出される遮蔽状態に基づいて、予め定めた複数の遮蔽パターンの内、何れかの遮蔽パターンに属するか認識し、
前記認識された遮蔽パターン毎に対応付けて予め記憶されている情報を読み出し、
前記読み出した情報を前記表示部に表示することを特徴とする表示装置の画像表示制御方法。
【発明の詳細な説明】
【技術分野】
【０００１】
本発明は、少なくとも撮像範囲を特定して表示するファインダーであって、光学的に入力されるオプチカルビュー画像を表示するオプチカルビューファインダー（ＯＶＦ）、並びに前記撮像素子によって撮像したエレクトリカルビュー画像を再生して表示するエレクトリカルビューファインダー（ＥＶＦ）モードを備えた撮像装置、表示装置、並びに表示装置の表示制御方法に関するものである。
【背景技術】
【０００２】
従来より、光学式（或いは枠式）ビューファインダー（ＯＶＦ）に入射した光像と、電子ビューファインダー（ＥＶＦ）によって表示された表示画像とをそれぞれハーフミラーを介して撮影者の肉眼に導く光学系を備えたファインダーが提案されている（特許文献１参照）。
【０００３】
この特許文献１では、ＯＶＦ及びＥＶＦの長所をそれぞれ生かすことができ、鮮明なファインダー像を得ると共に撮影範囲等の情報を知ることができる。特に、ハイブリッドモードでは、ＯＶＦ及びＥＶＦが併用されることが記載されている。
【０００４】
上記特許文献１において、ＯＶＦ及びＥＶＦを兼用するハイブリッドモードは、予め定められた情報を同時に表示する、所謂出力デバイスとしての機能に特化されたものである。
【０００５】
また、特許文献２には、撮影レンズを介して入射される被写体からの入射光の光路を分割し、一方をファインダーで観察するための接眼レンズへ導き、他方をＣＣＤ等の撮像素子へ導く構成において、分割されて接眼レンズへと至る光路上に液晶シャッターで構成されたアイピースシャッタ（焦点板を兼用）を配置することで、選択的に接眼レンズへ画像を導くと共に、液晶シャッターを例えば情報表示デバイスとして利用して、画像と共に接眼レンズへ導くことが記載されている。
【０００６】
特許文献２は、接眼レンズを覗くと、被写体画像と情報とを同時に見ることができるものの、液晶シャッターがＥＶＦとして機能することは記載されていない。
【０００７】
また、参考として、特許文献３には、レンズを通して見える被写体をユーザーが直接見えるようにするスルーレンズファインダーであって、ユーザーが該ビューファインダーを通して見るときを常に判断するための近接感知器、およびユーザーにカメラ状態情報を提供するための状態インジケータを含むビューファインダーと、ユーザーが前記ビューファインダーを通して見ているという指示に応答して、前記状態インジケータの照度を制御する制御アルゴリズムと、を備えることが記載されている。すなわち、特許文献３では、要約すると、ビューファインダー兼用インジケータがあること、並びにセンサ（近接感知器）の出力によって表示制御を行っている。
【０００８】
次に、引用文献４には、撮像装置の背面側が設けられ、撮影画像を表示する第１表示部と、撮影画像に関する情報である関連情報を表示する第２の表示部を備え、第２表示部の遮蔽状態により第２表示部に表示される関連情報の表示態様を制御する表示制御部とを備えることが記載されている。すなわち、特許文献４では、要約すると、画像表示と、情報表示を情報表示部の遮蔽状態を検出して表示変更している。
【０００９】
また、引用文献５には、レンズ鏡筒の被写体側の底面の周縁部にタッチセンサが設けられ、撮影時、撮影者の指等がタッチセンサに接触していると、システムコントロール回路により警告音が発せられるとともにレリーズスイッチがロックされ、指等が誤って撮影されるのを防止することが記載されている。
【先行技術文献】
【特許文献】
【００１０】
【特許文献１】特開平３−２９２０６７号公報
【特許文献２】特開２００２−２５８３５２号公報
【特許文献３】特開２００２−１９９２５５号公報
【特許文献４】特開２０１０−３５２４５号公報
【特許文献３】特開平９−２９７３３６号公報
【発明の概要】
【発明が解決しようとする課題】
【００１１】
しかしながら、上記背景技術（特に、特許文献１〜５）では、ＯＶＦと、ＥＶＦや液晶シャッターとを併用したり、センサを設けて撮影光路上に障害物があるときに警告等をすることは可能であるが、ＯＶＦと、ＥＶＦや液晶シャッターとがそれぞれ独立した形態となっている。すなわち、例えば、ＯＶＦは光学的に撮影被写体の覗く機能であり、ＥＶＦは必要に応じてＯＶＦの撮影被写体にオーバラップさせて表示する機能であり、相互の機能を補うような構成にはなっていない。
【００１２】
本発明は上記事実を考慮し、オプチカルビューファインダーとエレクトリカルビューファインダーとを併用することで撮影画像を含み様々な情報報知機能の向上を図り、かつ、オプチカルビュー画像の状態に基づき、利便性を高めることができる撮像装置、表示装置、表示装置の表示方法を得ることが目的である。
【課題を解決するための手段】
【００１３】
第１の発明は、少なくとも撮像素子で被写体を撮像した画像を含むエレクトリカルビュー画像を表示する表示部と、前記表示部に表示されるエレクトリカルビュー画像を接眼部へ案内する光路、並びに光学的に入力される被写体のオプチカルビュー画像の何れかの単独画像を接眼部へ案内する光路を備え、何れか一方の単独画像、或いは双方の合成画像を接眼部へ案内する画像案内手段と、を備えたファインダー部と、前記撮像素子で撮像している動画像を前記表示部に表示しながら、撮像指示操作に基づいて当該撮像素子で撮像し、当該撮像した画像をデジタル画像データとして記録する撮像モード、並びに前記撮像モードによって記録した画像を再生表示する再生モードを選択的に切り替えるモード切替手段と、前記表示部へ、前記撮像モード中における撮像に関する撮像情報、前記再生モード中における再生に関する再生情報を表示する情報表示制御手段と、前記オプチカルビュー画像の光路上の遮蔽状態を検出する遮蔽状態検出手段と、前記遮蔽状態検出手段で検出される遮蔽状態に基づいて、予め定めた複数の遮蔽パターンの内、何れかの遮蔽パターンに属するか認識する認識手段と、前記認識手段で認識され得る遮蔽パターン毎に、情報が対応付けられて記憶された記憶手段と、前記認識された遮蔽パターンに基づいて、前記記憶手段から対応する情報を読み出し、当該情報に基づく処理を実行する処理実行制御手段と、を有している。
【００１４】
また、第２の発明は、少なくとも撮像素子で被写体を撮像した画像を含むエレクトリカルビュー画像を表示する表示部と、前記表示部に表示されるエレクトリカルビュー画像を接眼部へ案内する光路、並びに光学的に入力される被写体のオプチカルビュー画像の何れかの単独画像を接眼部へ案内する光路を備え、何れか一方の単独画像、或いは双方の合成画像を接眼部へ案内する画像案内手段と、を備えたファインダー部と、前記撮像素子で撮像している動画像を前記表示部に表示しながら、撮像指示操作に基づいて当該撮像素子で撮像し、当該撮像した画像をデジタル画像データとして記録する撮像モード、並びに前記撮像モードによって記録した画像を再生表示する再生モードを選択的に切り替えるモード切替手段と、前記表示部へ、前記撮像モード中における撮像に関する撮像情報、前記再生モード中における再生に関する再生情報を表示する情報表示制御手段と、前記オプチカルビュー画像の光路上の遮蔽状態を検出する遮蔽状態検出手段と、前記遮蔽状態検出手段で検出される遮蔽状態に基づいて、予め定めた複数の遮蔽パターンの内、何れかの遮蔽パターンに属するか認識する認識手段と、前記認識手段で認識された基本遮蔽パターン毎に、前記表示部に表示する前記撮像情報又は前記再生情報が対応付けられて記憶された記憶手段と、前記認識され得る遮蔽パターンに基づいて、前記記憶手段から対応する前記撮像情報又は前記再生情報を読み出し、前記表示部に表示する項目表示制御手段と、を有している。
【００１５】
第１及び第２の発明において、前記表示部が、前記接眼部からのみ見ることができるように、前記ファインダー部の構成部品として組み込まれていることを特徴としている。
【００１６】
第１又は第２の発明において、前記オプチカルビュー画像が前記結像部へ至る光路上に配置され、前記接眼部へ至る光を遮る遮光手段をさらに有し、前記認識手段で認識された遮蔽パターンに基づいて、前記遮光手段の遮光領域を制御し、前記オプチカルビュー画像が前記結像部へ至る光路領域を制限することを特徴としている。
【００１７】
また、第１又は第２の発明において、前記遮蔽状態検出手段が、前記オプチカルビュー画像の光路の入力面に設けられたタッチセンサであることを特徴としている。
【００１８】
さらに、第１又は第２の発明において、前記記憶手段には、前記撮像モードにおける撮像に不適切な状態を示す警告遮蔽パターンが記憶され、当該警告遮蔽パターンに対応付けて、撮像不適警告情報を記憶しておき、前記認識手段で、前記警告遮蔽パターンを認識した場合には、前記撮像不適警告情報に基づく報知を実行することを特徴としている。
【００１９】
また、第１又は第２の発明において、前記記憶手段には、前記撮像モードにおける撮像に不適切な状態を示す補間遮蔽パターンが記憶され、当該補間遮蔽パターンに対応付けて、撮像補間情報を記憶しておき、前記認識手段で、前記補間遮蔽パターンを認識した場合には、前記撮像補間情報に基づいて、前記表示部の表示状態を補間することを特徴としている。
【００２０】
さらに、第１又は第２の発明において、前記記憶手段に記憶する遮蔽パターンとして、前記遮蔽パターン、前記警告遮蔽パターン、前記補間遮蔽パターンの何れを有効とするかを選択する選択手段をさらに有している。
【００２１】
第３の発明は、少なくとも撮像素子で被写体を撮像した画像を含むエレクトリカルビュー画像を表示する表示部と、前記表示部に表示されるエレクトリカルビュー画像を接眼部へ案内する光路、並びに光学的に入力される被写体のオプチカルビュー画像の何れかの単独画像を接眼部へ案内する光路を備え、何れか一方の単独画像、或いは双方の合成画像を接眼部へ案内する画像案内手段と、前記オプチカルビュー画像の光路上の遮蔽状態を検出する遮蔽状態検出手段と、前記遮蔽状態検出手段で検出される遮蔽状態に基づいて、予め定めた複数の遮蔽パターンの内、何れかの遮蔽パターンに属するか認識する認識手段と、前記認識手段で認識され得る遮蔽パターン毎に、前記表示部に表示する情報が対応付けられて記憶された記憶手段と、前記認識された遮蔽パターンに基づいて、前記記憶手段から対応する情報を読み出し、前記表示部に表示する表示制御手段と、を有している。
【００２２】
第３の発明において、前記オプチカルビュー画像が前記接眼部へ至る光路上に配置され、前記接眼部へ至る光を遮る遮光手段をさらに有し、前記認識手段で認識された遮蔽パターンに基づいて、前記遮光手段の遮光領域を制御し、前記オプチカルビュー画像が前記接眼部へ至る光路領域を制限することを特徴としている。
【００２３】
また、第３の発明において、前記遮蔽状態検出手段が、前記オプチカルビュー画像の光路の入力面に設けられたタッチセンサであることを特徴としている。
【００２４】
第４の発明は、少なくとも撮像素子で被写体を撮像した画像を含むエレクトリカルビュー画像を表示する表示部と、前記表示部に表示されるエレクトリカルビュー画像を接眼部へ案内する光路、並びに光学的に入力される被写体のオプチカルビュー画像の何れかの単独画像を接眼部へ案内する光路を備え、何れか一方の単独画像、或いは双方の合成画像を接眼部へ案内する画像案内手段と、を備えた表示装置における画像表示制御方法であって、前記オプチカルビュー画像の光路上の遮蔽状態を検出し、前記検出される遮蔽状態に基づいて、予め定めた複数の遮蔽パターンの内、何れかの遮蔽パターンに属するか認識し、前記認識された遮蔽パターン毎に対応付けて予め記憶されている情報を読み出し、前記読み出した情報を前記表示部に表示することを特徴としている。
【００２５】
第１の発明によれば、表示部と、撮像素子で撮像している動画像を表示部に表示しながら、撮像指示操作に基づいて当該撮像素子で撮像し、当該撮像した画像をデジタル画像データとして記録する撮像モード、並びに撮像モードによって記録した画像を再生表示する再生モードを選択的に切り替えるモード切替手段を備えた撮像装置である。
【００２６】
記憶手段には、認識手段で認識され得る遮蔽パターン毎に、情報が対応付けられて記憶され、処理実行制御手段では、前記認識された遮蔽パターンに基づいて、前記記憶手段から対応する情報を読み出し、当該情報に基づく処理を実行する。
【００２７】
第２の発明によれば、表示部と、撮像素子で撮像している動画像を表示部に表示しながら、撮像指示操作に基づいて当該撮像素子で撮像し、当該撮像した画像をデジタル画像データとして記録する撮像モード、並びに撮像モードによって記録した画像を再生表示する再生モードを選択的に切り替えるモード切替手段を備えた撮像装置である。
【００２８】
記憶手段には、認識手段で認識され得る遮蔽パターン毎に、前記表示部に表示する情報が対応付けられて記憶され、表示制御手段では、前記認識された遮蔽パターンに基づいて、前記記憶手段から対応する情報を読み出し、前記表示部に表示する。
【００２９】
撮像装置のおける撮像情報、再生情報としては、感度設定、画像サイズ設定、画質モード設定、Ｄレンジ設定等がある。また、撮像装置においては、撮影（撮像）が主体であるため、撮像情報として、撮像モードにおける撮像に不適切な状態を示す警告遮蔽パターンに対応付けて、撮像不適警告情報を記憶しておき、警告遮蔽パターンを認識した場合には、撮像不適警告情報に基づく報知を実行するようにしてもよい。
【００３０】
また、撮像モードにおける撮像に不適切な状態を示す補間遮蔽パターンに対応付けて、撮像補間情報を記憶しておき、表示部の表示状態を補間するようにしてもよい。
【００３１】
さらに、基本となる遮蔽パターン、警告遮蔽パターン、補間遮蔽パターンのそれぞれを独立して有効／無効とすることができるようにしてもよい。
【００３２】
第３の発明によれば、接眼部を覗くと、表示部に表示されるエレクトリカルビュー画像（ＥＶＦ画像）と、光学的に入力されるオプチカルビュー画像（ＯＶＦ）の両方（或いは何れか一方）の画像を見ることができる。
【００３３】
ここで、オプチカルビュー画像の光路が遮蔽されると、これを遮蔽状態検出手段で検出する。光路の遮蔽は、例えば、ユーザーの指掛かりが主となる。
【００３４】
遮蔽状態検出手段で、前記オプチカルビュー画像の光路の遮蔽が検出されると、認識手段では、遮蔽状態に基づいて、予め定めた複数の遮蔽パターンの内、何れかの遮蔽パターンを認識する。すなわち、例えば、無数に起こり得る遮蔽領域の外形をいくつかの形状群に分類する。
【００３５】
一方、記憶手段には、遮蔽パターン毎に、前記表示部に表示する情報が対応付けられて記憶されており、項目表示制御手段では、認識された遮蔽パターンに基づいて、前記記憶手段から対応する情報を読み出し、前記表示部に表示する。
【００３６】
なお、情報表示を行うとき、認識手段で認識された遮蔽パターンに基づいて、遮光手段の遮光領域を制御し、オプチカルビュー画像が結像部へ至る光路領域を制限することで、重なるＯＶＦ画像が黒くなり、項目表示が見易くなる。
【００３７】
第４の発明によれば、表示装置の画像表示制御方法であり、オプチカルビュー画像の光路上の遮蔽状態を検出し、検出される遮蔽状態に基づいて、予め定めた複数の遮蔽パターンの内、何れかの遮蔽パターンを認識し、認識された遮蔽パターン毎に対応付けて予め記憶されている情報を読み出し、読み出した情報を表示部に表示する。
【００３８】
これにより、ＥＶＦ画像とＯＶＦ画像とが互いにその機能を充分発揮し、かつ互いを補うことができ、の利便性を高めることができる。
【発明の効果】
【００３９】
以上説明した如く本発明では、オプチカルビューファインダーとエレクトリカルビューファインダーとを併用することで撮影画像を含み様々な情報報知機能の向上を図り、かつ、オプチカルビュー画像の状態に基づき、利便性を高めることができる。
【図面の簡単な説明】
【００４０】
【図１】（Ａ）は第１の実施の形態に係るデジタルカメラの正面図、（Ｂ）は背面図である。
【図２】第１の実施の形態に係るデジタルカメラの内部構成を示す概略ブロック図である。
【図３】第１の実施の形態に係るデジタルカメラにおける撮像制御系を主体として制御ブロック図である。
【図４】第１の実施の形態に係り、メインコントローラで実行される指掛かりを検出するための制御を示した機能ブロック図である。
【図５】第１の実施の形態に係るＯＶＦ指掛かり対応モード選択制御ルーチンを示すフローチャートである。
【図６】第１の実施の形態に係る撮影モード時の指掛かり対応制御のメインルーチンを示すフローチャートである。
【図７】第１の実施の形態に係る図６のステップ２００に示す情報表示モード制御サブルーチンの詳細を示すフローチャートである。
【図８】図７のフローチャートによる情報表示モードの表示形態を示す遷移図である。
【図９】第１の実施の形態に係る図６のステップ２０８に示す補間警告モード制御サブルーチンの詳細を示すフローチャートである。
【図１０】図９のフローチャートによる補間警告モードの表示形態を示す遷移図である。
【図１１】メカニカルシャッター仕様での補間警告モードの表示形態の変形例を示す遷移図である。
【図１２】第１の実施の形態に係る図６のステップ２１０に示す簡易警告モード制御サブルーチンの詳細を示すフローチャートである。
【図１３】図１２のフローチャートによる簡易警告モードの表示形態を示す遷移移図である。
【図１４】変形例１に係り、（Ａ）は対物レンズの指掛かりを光量差により検出する構成が設けられたデジタルカメラの内部構成を示す概略ブロック図、（Ｂ）は光量差を判別する回路図である。
【図１５】変形例２に係り、（Ａ）はハイスペックな一眼レフデジタルカメラの正面図、（Ｂ）は背面図である。
【発明を実施するための形態】
【００４１】
（第１の実施の形態）
図１（Ａ）に示される如く、撮像装置としてのデジタルカメラ１０の正面には、被写体像を結像させるためのレンズ１２Ｌを備えた鏡筒１２が備えられており、上面には、撮像（撮影）を実行する際にユーザーによって押圧操作されるレリーズボタン（所謂シャッター）１４と、電源スイッチ１６と、が備えられている。
【００４２】
なお、第１の実施の形態に係るレリーズボタン１４は、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００４３】
第１の実施の形態に係るデジタルカメラ１０では、レリーズボタン１４を前記半押し状態にすることによりＡＥ（Ａｕｔｏｍａｔｉｃ  Ｅｘｐｏｓｕｒｅ、自動露出）機能が働いて露出状態（シャッタースピード、絞りの状態）が設定された後、ＡＦ（Ａｕｔｏ  Ｆｏｃｕｓ、自動合焦）機能が働いて合焦制御され、その後、引き続き、前記全押し状態にすると撮影（撮像）が行われる。
【００４４】
一方、図１（Ｂ）に示される如く、デジタルカメラ１０の背面には、オプチカルビューファインダー（以下、［ＯＶＦ」という）と、エレクトリカルビューファインダー（以下、「ＥＶＦ」という）とが併用された接眼部１８が設けられている。ＥＶＦとＯＶＦについての詳細は後述する。なお、接眼部１８に対向するように、デジタルカメラ１０の正面（図１（Ａ）参照）には、対物レンズ２０が設けられている。
【００４５】
また、デジタルカメラ１０の背面には、撮影によって得られたデジタル画像データにより示される被写体像や各種メニュー画面、メッセージ等を表示するための背面ＬＣＤ２２と、撮影を行うモードである撮影モード及び撮影によって得られたデジタル画像データにより示される被写体像を背面ＬＣＤ２２に表示（再生）するモードである再生モードの何れかのモードに設定するために操作されるモード切替スイッチ２４と、背面ＬＣＤ２２の表示領域における上下左右の４方向の移動方向を示す４つの矢印キー及び当該４つの矢印キーの中央部に位置された決定キーの合計５つのキーを含んで構成された十字カーソルボタン２６と、が備えられている。なお、入力操作系は、前記モード切替スイッチ２４、十字カーソルボタン２６に限定されるものではなく、背面ＬＣＤ２２にタッチパネル２２ＴＰ（図２参照）機能を持たせるようにしてもよい。従って、必要に応じて全ての入力操作系を総称する場合、「操作部２８（図２参照）」という場合がある。
【００４６】
図２には、デジタルカメラ１０における内部の光路構成と、撮像画像の処理を行う制御のハード資源である制御ブロック図とが示されている。
【００４７】
前記鏡筒１２のレンズ１２Ｌから入射した光は、撮像素子（第１の実施の形態ではＣＣＤ３０であるが、ＣＭＯＳ等でもよい）で受光され、電気信号に変換されるようになっている。入射光に応じた電気信号は、メインコントローラ３２に入力され、各種処理が実行される。メインコントローラ３２には、鏡筒駆動ドライバ３４が接続されており、鏡筒１２を光軸方向に移動させ、撮影倍率や焦点距離を変更するようになっている。
【００４８】
また、メインコントローラ３２には、ＬＣＤＩ／Ｆ３６を介して、前記背面ＬＣＤ２２が接続されると共に、モード切替スイッチ２４や十字カーソルボタン２６を含む操作部２８が接続されている（背面ＬＣＤ２２がタッチパネル機能を備える場合は、このタッチパネル２２ＴＰも含むものとする）。
【００４９】
さらに、メインコントローラ３２には、外部メモリＩ／Ｆ３８（リーダ／ライタ兼用）が接続され、この外部メモリＩ／Ｆ３８に装填されるメモリカード４０へ画像データを記録したり、メモリカード４０から画像データを取得する。
【００５０】
ここで、第１の実施の形態では、メインコントローラ３２に、ＥＶＦ／ＯＶＦの併用ファインダー（ハイブリッドファインダー）を実現するために、ＬＣＤＩ／Ｆ４２を介して表示部としてＥＶＦＬＣＤ４４が接続されると共に、遮光手段としての液晶シャッター４６が接続されている。
【００５１】
すなわち、図２に示される如く、デジタルカメラ１０の内部において、接眼部１８には、光学的に被写体画像（オプチカルビュー画像）を案内する光路４８と、表示部としてのＥＶＦＬＣＤ４４に表示された画像（エレクトリカルビュー画像）を案内する光路５０とが設けられ、双方の光路４８、５０は、前記接眼部１８の手前でハーフミラー５２によって一致される（同軸）ようになっている。このため、ユーザーが接眼部１８を覗くと、オプチカルビュー画像とエレクトリカルビュー画像の双方を見ることが可能となっている。なお、第１の実施の形態では、デフォルト設定として、ＥＶＦＬＣＤ４４の表示はオフとし、ＯＶＦ画像のみで撮影するようになっている。
【００５２】
また、第１の実施の形態に係るデジタルカメラ１０では、ＥＶＦＬＣＤ４４として発光ダイオード式バックライト（以下、「ＬＥＤ式バックライト」という。）を備えたＬＣＤが適用され、前記背面ＬＣＤ２２として光電管式バックライトを備えたＬＣＤが適用されているが、これに限定されるものではない。
【００５３】
上記接眼部１８、対物レンズ２０、ＥＶＦＬＣＤ４４、ハーフミラー５２（並びに、光路４８，５０）は、第１の実施の形態のデジタルカメラ１０のファインダー部構成し、撮影時に、ユーザーが接眼部を覗くことで、被写体を確認することができるようになっている。すなわち、ＥＶＦＬＣＤ４４は、背面ＬＣＤ２２とは異なり、ファインダー部の一構成部品として機能する。
【００５４】
図３には、第１の実施の形態に係るデジタルカメラ１０における、主として撮像処理制御系の構成を説明する。
【００５５】
デジタルカメラ１０は、前述のレンズ１２Ｌを含んで構成され、鏡筒駆動ドライバ３４によって光軸方向へ移動する鏡筒１２と、鏡筒１２の光軸後方に配設されたＣＣＤ３０と、相関二重サンプリング回路（以下、「ＣＤＳ」という。）を含んで構成されたアナログ信号処理部５４と、入力されたアナログ信号をデジタルデータに変換するアナログ／デジタル変換器（以下、「ＡＤＣ」という。）５６と、所定容量のラインバッファを内蔵し、かつ入力されたデジタル画像データを後述するメモリ５８の所定領域に直接記憶させる制御を行うと共に、デジタル画像データに対して各種の画像処理を行うデジタル信号処理部６０と、を含んで構成されている。
【００５６】
ここで、アナログ信号処理部５４のＣＤＳによる相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００５７】
一方、デジタルカメラ１０は、デジタル画像データにより示される画像やメニュー画面等を背面ＬＣＤ２２に表示させるための信号を生成して背面ＬＣＤ２２に供給するＬＣＤＩ／Ｆ６２と、デジタル画像データにより示される画像やメニュー画面等をＥＶＦＬＣＤ４４に表示させるための信号を生成してＥＶＦＬＣＤ４４に供給するＬＣＤＩ／Ｆ６４と、デジタルカメラ１０全体の動作を司るＣＰＵ（中央処理装置）６６と、主として撮影により得られたデジタル画像データを記憶するＶＲＡＭ（Ｖｉｄｅｏ  ＲＡＭ）により構成されたメモリ５８と、スマートメディア（Ｓｍａｒｔ  Ｍｅｄｉａ（登録商標））により構成されたメモリカード４０をデジタルカメラ１０でアクセス可能とするための外部メモリＩ／Ｆ３８と、所定の圧縮形式でデジタル画像データに対して圧縮処理を施す一方、圧縮処理されたデジタル画像データに対して圧縮形式に応じた伸張処理を施す圧縮・伸張処理回路６８と、を含んで構成されている。
【００５８】
デジタル信号処理部６０、ＬＣＤＩ／Ｆ６２、６４、ＣＰＵ６６、外部メモリＩ／Ｆ３８、及び圧縮・伸張処理回路３４はシステムバス７０を介して相互に接続されている。従って、ＣＰＵ６６は、デジタル信号処理部６０及び圧縮・伸張処理回路６８の作動の制御、背面ＬＣＤ２２及びＥＶＦＬＣＤ４４に対する各種情報の表示、メモリ５８及びメモリカード４０へのアクセスを行うことができる。
【００５９】
一方、デジタルカメラ１０には、主としてＣＣＤ３０を駆動させるためのタイミング信号を生成してＣＣＤ３０に供給するタイミングジェネレータ７２が備えられており、ＣＣＤ３０の駆動はＣＰＵ６６によりタイミングジェネレータ６６を介して制御される。
【００６０】
ＣＰＵ６６は、ＣＣＤ３０による撮像によって得られた画像のコントラスト値が最大となるように合焦制御を行う（ＴＴＬ「Ｔｈｒｏｕｇｈ  Ｔｈｅ  Ｌｅｎｓ」方式）。
【００６１】
ここで、第１の実施の形態に係るデジタルカメラ１０においては、デフォルトがＯＶＦであり、撮影（撮像）時に接眼部１８を覗きながら、撮像画角を決める（構図を決めるとき）。このとき、撮影者の手（指）は、前記接眼部１８と対向してデジタルカメラ１０の前面に設けられている対物レンズ２０の近傍を把持することが多い（一例として、図１０〜図１３参照、詳細後述）。
【００６２】
そこで、第１の実施の形態では、対物レンズ２０への指掛かりに対する対応モードとして、情報表示指示モードと警告モードを選択可能としている。
【００６３】
この対応モードは、例えば、前記十字カーソルボタン２６の操作による初期設定等によって予め何れかを選択（両方非選択も含む）されるようになっている（図５のフローチャート参照、詳細後述）。
【００６４】
情報表示指示モードは、対物レンズ２０の指掛かりを積極的に利用するモードであり、警告モードは、指掛かりがあることをユーザーに報知するモードである。
【００６５】
上記何れの対応モードであっても、対物レンズ２０への指掛かりによる遮蔽状態を検出する手段が必須であり、第１の実施の形態では、対物レンズ２０の表面にタッチパネルセンサ７４（図２参照）を設けている。
【００６６】
なお、遮蔽状態を検出する手段としては、タッチパネルセンサ７４に限られるものではなく、対物レンズ２０の表面温度変化、ＥＶＦＬＣＤに表示される画像との光量差等を用いて検出する構成であってもよい。
【００６７】
さらに、第１の実施の形態では、対物レンズ２０の裏面側（デジタルカメラ１０の内部側）に、遮光手段として液晶シャッター４６が配置されている。なお、遮光手段は、必要最小限の機能として、ＯＶＦにより入射する光を遮光する役目を有していればよく、メカニカルなシャッター膜等を用いてもよいが、遮光する領域を画素単位で設定可能な液晶シャッター４６が最適である。
【００６８】
（情報表示指示モード）
この情報表示指示モードでは、対物レンズ２０を指等で遮蔽する領域の形状（遮蔽パターン）と、表示項目とを予め対応付けて記憶しておき、ユーザーが意図的に対物レンズ２０に指をかざすことで、操作部２８の操作に代えて、ＥＶＦＬＣＤ４４（背面ＬＣＤ２２の併用可）上に撮像モード中における撮像に関する撮像情報や、再生モード中における再生に関する再生情報（以下、「情報画像」という）を表示するようにしている。
【００６９】
情報画像は、さらに細分化されて項目情報（感度設定、画像サイズ変更、画質モード変更、Ｄレンジ調整、次頁等）が表示されるようになっており、その細分化された領域をさらに遮蔽することで、遮蔽された項目が実行される。
【００７０】
（警告モード）
警告モードには、（１）簡易警告モードと、（２）補間警告モードとが設定されている。
（１）簡易警告モードでは、指掛かりがあると、その指掛かりによって暗くなった領域に対応するＥＶＦＬＣＤ４４の表示領域に、文字等を用いて、指掛かりがある旨を表示を実行する。この表示は、ＯＶＦの画像と合成された状態でユーザーの目に入ることになる。
（２）補間警告モードでは、指掛かりがあると、その指掛かりによって暗くなった領域に対応するＥＶＦＬＣＤ４４の表示領域に、ＣＣＤ３０で撮像した動画像（スルー画）を表示する。すなわち、指掛かりでＯＶＦでは見えなくなった領域をＥＶＦで補間するものである。
【００７１】
図４は、メインコントローラ３２を中心とした、対物レンズ２０への指掛かり対応のための各種モードの実行制御のための機能ブロック図である。なお、この図４のブロックは、機能別に分類したものであり、ハード構成を限定するものではない。例えば、ソフトプログラムによって処理が実行されることを含む。
【００７２】
タッチパネルセンサ７４は、指掛かり領域認識部１００に接続されている。指掛かり領域認識部１００では、タッチパネル７４で検出した指掛かり領域に基づいて、例えば、予め設定しておいた複数の遮蔽パターンの中の何れに属するかを判定し、特定の遮蔽パターンを認識する。
【００７３】
指掛かり領域認識部１００は、現モード判別部１０２及び照合部１０４に接続されている。
【００７４】
現モード判別部１０２は、遮蔽パターン認識モード登録部１０６に接続されており、前記指掛かり領域認識部１００から信号を受けると、予め操作部２８の操作によって設定登録された遮蔽パターン認識モードを読み出し、現在設定されているモードを判別する。現モード判別部１０２において、判別した結果は、前記照合部１０４とモード別読出部１０８へ送出する。
【００７５】
また、照合部１０４では、指掛かり領域認識部１００から入力される遮蔽パターンが、前記判別されたモードにおいて、なにを意味するものかを照合する。
【００７６】
例えば、設定モードが情報表示モードである場合は、照合部１０４では、前記モード別読出部１０８を介して、記憶部１１０に記憶された情報表示モード用テーブル１１０Ａを読み出し、遮蔽パターン毎に設定された項目種情報に対応するかを照合する。
【００７７】
なお、第１の実施の形態では、指掛かりによる遮蔽領域（遮蔽パターン）と、表示されるメニュー画像との関係が、以下の表１に基づいてテーブル化されて情報表示モード用テーブル１１０Ａとして記憶されている。
【００７８】
【表１】
2012065283.tif 000003
【００７９】
なお、上記表１は一例であり、デジタルカメラ１０が持つ機能の何れを、遮蔽パターンに対応させてもよい。また、操作部２２の代りである必要もなく、遮蔽パターン専用の項目種情報を設けてもよい。
【００８０】
前記照合部１０４で遮蔽パターンに対応し項目種情報が照合されると、当該項目種情報は、処理実行制御部１１２へ送出される。
【００８１】
次に、設定モードが警告モード（簡易警告モード）である場合は、照合部１０４では、遮蔽された領域を認識する。また、前記記憶部１１０には、警告メッセージデータメモリ部１１０Ｂが構築されており、複数の警告メッセージデータが記憶されている。
【００８２】
前記照合部１０４で遮蔽パターンを認識すると、前記モード別読出部１０８を制御して、当該遮蔽パターン領域内に収容可能な警告メッセージを、前記記憶部１１０から読み出し、処理実行制御部１１２へ送出する。
【００８３】
さらに、設定モードが警告モード（補間警告モード）である場合は、照合部１０４では、指掛かり領域認識部１００で認識した遮蔽パターン情報に、ＥＶＦ表示指示情報を付加して、処理実行制御部１１２へ送出する。これにより、処理実行制御部１１２では、ＣＣＤ３０で撮像した動画像の内、遮蔽パターンとほぼ同一領域分だけを抽出して、ＥＶＦＬＣＤ４４に表示するように制御する（補間画像表示制御）。
【００８４】
処理実行制御部１１２には、指定項目実行指示部１１４が接続され、前記情報表示モードにおいて、特定された項目情報に基づいて、実行指示を出力する。
【００８５】
また、処理実行制御部１１２には、液晶シャッター４６が接続されており、指掛かり発生時に指掛かり領域が中途半端な漏れ光とならないように、当該遮蔽パターンに応じて液晶シャッター４６を駆動して完全に遮光するようになっている。なお、液晶シャッター４６は必須ではないが、この液晶シャッター４６による遮光によって、例えば、警告メッセージの表示時、或いは、補間画像表示時の画像が見易くなる。また、液晶シャッター４６に代えて、メカニカルな膜状のシャッター（上下のみ移動、或いは左右のみ移動するメカニカルシャッター）であってもよい。
【００８６】
さらに、処理実行制御部１１２には、ＬＣＤＩ／Ｆ４２を介してＥＶＦＬＣＤ４４が接続されている。なお、処理実行制御部１１２には、必要に応じて、ＬＣＤＩ／Ｆ３６を介して背面ＬＣＤ２２が接続されている（図２の鎖線ブロック図参照）。
【００８７】
次に、第１の実施の形態に係る作用を説明する。
【００８８】
（通常の撮像／再生動作）
デジタルカメラ１０が、撮像モードに切り替えられている場合、鏡筒１２内のレンズ１２Ｌを介した撮像によってＣＣＤ３０から出力された被写体像を示す信号は順次アナログ信号処理部５４に入力されて相関二重サンプリング処理等のアナログ信号処理が施された後にＡＤＣ５６に入力され、ＡＤＣ５６は、アナログ信号処理部５４から入力されたＲ（赤）、Ｇ（緑）、Ｂ（青）の信号を各々８〜１２ビットのＲ、Ｇ、Ｂ信号（デジタル画像データ）に変換してデジタル信号処理部３０に出力する。
【００８９】
デジタル信号処理部６０は、ラインバッファにＡＤＣ５６から順次入力されるデジタル画像データを蓄積して一旦メモリ５８の所定領域に格納する。
【００９０】
メモリ５８の所定領域に格納されたデジタル画像データは、ＣＰＵ６６による制御下でデジタル信号処理部６０によって読み出され、これらに所定の物理量に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という。）を生成し、ＹＣ信号をメモリ５８の上記所定領域とは異なる領域に格納する。
【００９１】
なお、第１の実施の形態に係る背面ＬＣＤ２２は、ＣＣＤ３０による連続的な撮像によって得られた動画像（所謂「スルー画像」）を表示してファインダーとして使用することができるものとして構成されているが、このように背面ＬＣＤ２２をファインダーとして使用する場合には、生成したＹＣ信号（映像信号）を、ＬＣＤＩ／Ｆ６２を介して順次背面ＬＣＤ２２に出力する。これによって背面ＬＣＤ２２にスルー画像が表示されることになる。これは、ＥＶＦＬＣＤ４４においても同様である。
【００９２】
ここで、レリーズボタン１４がユーザーによって半押し状態とされた場合、前述のようにＡＥ機能が働いて露出状態が設定された後、ＡＦ機能が働いて合焦制御され、その後、引き続き全押し状態とされた場合、この時点でメモリ５８に格納されているＹＣ信号を、圧縮・伸張処理回路６８によって所定の圧縮形式（第１の実施の形態では、ＪＰＥＧ形式）で圧縮した後に外部メモリＩ／Ｆ３８を介してメモリカード４０に記録することによって撮影が行われる。
【００９３】
一方、メモリカード４０（又はメモリ６６）に記憶された画像データは、背面ＬＣＤ２２（又は、ＥＶＦＬＣＤ４４）に表示させることができる。すなわち、デジタルカメラ１１を、撮像モードから再生モードに切り替えると、背面ＬＣＤ２２（ＥＶＦＬＣＤ４４）は、前述のようなスルー画像ではなく、既にメモリカード４０（又はメモリ６６）に記憶された画像データを読み出して表示する。この表示は背面ＬＣＤ２２（ＥＶＦＬＣＤ４４）の表示領域に１枚分の画像を表示することを基準として、２枚以上、或いは１枚の画像のトリミング画像を操作部２８の操作によって表示させることができる。
（ＯＶＦ／ＥＶＦ兼用ファインダーを利用した表示制御）
ここで、第１の実施の形態では、基本的（デフォルト）にはＯＶＦ仕様であるため、ユーザーは撮影時に、接眼部１８を覗き込みながら構図を決めるようになっている。
【００９４】
このとき、デジタルカメラ１０を把持すると、接眼部１８に対向して設けられた対物レンズ２０にユーザーの指が接近し、場合によっては指掛かりを発生させることになる。
【００９５】
そこで、第１の実施の形態では、対物レンズ２０（すなわち、ＯＶＦ）に指が掛かることを想定し（利用し）、指掛かり対応モードを設定した。
【００９６】
以下に指掛かり対応モードについて、フローチャート（図５〜図７、図９、図１２、図１４）、並びに遷移図（図８、図１０、図１１、図１３）に基づいて説明する。
【００９７】
図５は、操作部２８の操作によって、ツリー構造のメニューからＯＶＦ指掛かり対応モードの選択の項目が指定された場合に実行される、ＯＶＦ指掛かり対応モードの選択制御ルーチンを示すフローチャートである。なお、出荷段階（デフォルト）で何れのモードに設定しておくかは、特に限定されるものではない。また、この図５において設定したモードは、電源オフでは消滅せず、電池切れ等でデフォルトに戻るようにしてもよい。
【００９８】
（モード登録制御）
図５のステップ１５０では、まず、モード項目が表示され、次いでステップ１５２へ移行して現在されているモードを強調表示する。
【００９９】
次のステップ１５４では、操作部２８の操作等により選択操作があったか否かが判断される。このステップ１５４で肯定判定されると、ステップ１５６へ移行して選択されたモードへ強調表示を切り替えて、ステップ１５８へ移行する。なお、ステップ１５４で否定判定された場合は、ステップ１６２へ移行する。
【０１００】
前記ステップ１５８では、操作部２８等の操作によって、現在選択されているモードを決定する操作があったか否かが判断される。このステップ１５８で肯定判定されると、ステップ１６０へ移行して、選択されたモードを登録し、ステップ１６２へ移行する。なお、ステップ１５８で否定判定された場合は、ステップ１６２へ移行する。
【０１０１】
ステップ１６２では、操作部２８の操作等によって、上位メニューへの移行操作があったか否かが判断される。このステップ１６２で否定判定された場合は、ステップ１５４へ戻り、上記工程を繰り返す。また、ステップ１６２で肯定判定された場合は、ステップ１６４へ移行して、上位メニュー表示に遷移させ、このルーチンは終了する。
【０１０２】
（指掛かり対応制御メインルーチン）
次に、図６は、撮影モード時に実行される、指掛かり対応制御のメインルーチンであり、ステップ２００では、指掛かりを検出したか否か（第１の実施の形態では、タッチパネルセンサ７４の検出に基づく。）が判断される。このステップ２００で否定判定された場合は、このルーチンは終了する。
【０１０３】
また、ステップ２００で肯定判定されると、ステップ２０２へ移行して、登録されている指掛かりモードを読み出し、次いでステップ２０４へ移行して登録モードに基づいて、モード制御を判定する。
【０１０４】
すなわち、ステップ２０４で登録モードが情報表示モードと判定された場合は、ステップ２０６へ移行して、後述する図７のフローチャートに基づいて、情報表示モード制御を実行する。
【０１０５】
また、ステップ２０４で登録モードが補間警告モードと判定された場合は、ステップ２０８へ移行して、後述する図９のフローチャートに基づいて、補間警告モード制御を実行する。
【０１０６】
さらに、ステップ２０４で登録モードが簡易警告モードと判定された場合は、ステップ２１０へ移行して、後述する図１２のフローチャートに基づいて、簡易警告モード制御を実行する。
【０１０７】
（情報表示モード制御サブルーチン）
図７は、前記図６のステップ２０６で実行される情報表示モード制御サブルーチンを示すフローチャートである。
【０１０８】
ステップ２５０では、指掛かり領域を特定し、次いでステップ２５２へ移行して液晶シャッター４６により、指掛かり領域の遮光処理を実行する。次のステップ２５４では、予め設定した複数の遮蔽パターンの中から、前記指掛かり領域に近似する遮蔽パターンを認識し、次いでステップ２５６へ移行して記憶部１１０から情報表示モードテーブル１１０Ａを読み出し、ステップ２５８へ移行する。
【０１０９】
ステップ２５８では、情報表示モードテーブル１１０Ａに基づいて、前記認識された遮蔽パターンに対応する情報項目種を特定する。すなわち、前記表１に示される如く、大分類として、全て遮蔽、一部遮蔽、遮蔽領域の変化に分類され、遮蔽パターンに対応して、初期設定、或いはユーザー設定等によって登録され、情報表示モードテーブル１１０Ａとして記憶されることで特定される。
【０１１０】
次のステップ２６０では、ＥＶＦＬＣＤ４４に情報表示項目を表示し、必要に応じて背面ＬＣＤ２２にも表示して（ステップ２６２）、ステップ２６４へ移行する。
【０１１１】
ステップ２６４では、指掛かり領域変化があったか否か判断される。このステップ２６４で肯定判定されると、ステップ２６６へ移行して指掛かりを検出しなくなったか（未検出か）否かが判断される。ステップ２６６で否定判定されると、指掛かりが継続され、かつ指掛かり領域が変化したと判断し、ステップ２５０へ戻り上記工程を繰り返す。指掛かり領域の変化は、別の情報項目に変化する場合もあるし、一連の動作として認識して情報項目が特定される場合もある。
【０１１２】
前記ステップ２６４で否定判定（指掛かり領域に変化なし）された場合は、ステップ２６８へ移行して、情報項目を選択する指掛かりがあったか否か判断される。このステップ２６８で肯定判定された場合は、表示されている情報項目の実行を指示するものと判断し、ステップ２７０へ移行して選択された情報項目の実行ルーチンへ移行して、このルーチンは終了する。また、ステップ２６８で否定判定された場合は、ステップ２６４へ戻る。さらに、ステップ２６６で肯定判定（指掛かりを検出しなくなった）された場合は、ステップ２７２へ移行して、通常表示へ復帰し、このルーチンは終了する。
【０１１３】
なお、指掛かりの一連の動作には、一旦（一瞬）、指を対物レンズ７４から離す場合もあるので、適宜タイマ処理等を実行する、或いは、所謂ダブルクリック等の特別な動作（ENTER処理）を別途定めておく等して、それぞれの判断を行うようにすることが好ましい。
【０１１４】
図８は、情報表示モードでの、ＯＶＦ画像とＥＶＦ画像の複合画像（接眼部１８から見える画像）の遷移を示したものである。
【０１１５】
図８（Ａ）は、指掛かりが無い状態（通常状態）であり、接眼部１８には、ＯＶＦ画像が見える。
【０１１６】
図８（Ｂ）は、対物レンズ２０の下半分が指によって遮蔽された状態であり、この状態では、接眼部１８は、下半分が暗く（見えなく）なっている。この状態を検出（第１の実施の形態では、タッチパネルセンサ７４により検出）すると、ＥＶＦＬＣＤ４４には、各種設定（感度、画像サイズ、画質モード、Ｄレンジ、次頁等）のメニュー画像が表示される。なお、このとき、ＥＶＦＬＣＤ４４におけるＯＶＦ画像が見ている領域に対応する領域は、黒表示とすることが好ましい。
【０１１７】
ユーザーは、このメニュー表示の中から、「感度」を選択する場合は、「感度」と表示されている領域を、所定時間遮蔽する、或いはダブルクリックすることで、感度設定制御が立ち上がる。
【０１１８】
図８（Ｃ）は、対物レンズ２０の全領域が指によって遮蔽された状態であり、この状態では、接眼部１８は、全てが暗く（何も見えなく）なっている。この状態を検出（第１の実施の形態では、タッチパネルセンサ７４により検出）すると、再生モードへの切替指示であると判断し、ＥＶＦＬＣＤ４４には、再生画像が表示される。なお、このとき、ＥＶＦＬＣＤ４４の一部には、次頁指示並びに再生画像特定番号が表示され、ユーザーは、ＥＶＦＬＣＤ４４の見ながら（接眼部１８を覗きながら）、再生画像を順次見ることができる。
【０１１９】
図８（Ｄ）は、対物レンズ２０の一部（ＯＶＦ画像の中の特定の画像（ここでは人物））の領域が指によって遮蔽された状態であり、この状態では、接眼部１８は、特定の人物が暗く（見えなく）なっている。この状態を検出（第１の実施の形態では、タッチパネルセンサ７４により検出）すると、ＡＦ位置の特定であると判断し、ＯＶＦ画像からＥＶＦ画像（ＥＶＦＬＣＤ４４の表示画像）に切り替わり、かつ、ＡＦポイントが枠等で表示される。なお、このＡＦ動作が終了した時点で、ＥＶＦＬＣＤ４４の表示を終了し、ＯＶＦ画像のみとしてもよいし、撮影が終了するまで、ＥＶＦＬＣＤ４４の表示を継続してもよい。また、顔認識等の画像の状態を認識することを併用すれば、より効果的である。
【０１２０】
（補間警告モード制御サブルーチン）
図９は、前記図６のステップ２０８で実行される補間警告モード制御サブルーチンを示すフローチャートである。
【０１２１】
ステップ３００では、指掛かり領域を特定し、次いでステップ３０２へ移行して液晶シャッター４６により、指掛かり領域の遮光処理を実行する。次のステップ３０４では、ＣＣＤ３０で撮像した動画像（スルー画）を読み出し、次いでステップ３０６へ移行してＥＶＦＬＣＤ４４へ指掛かり領域のみスルー画を表示する。なお、このとき、スルー画を表示しない領域は黒表示が好ましい。
【０１２２】
次のステップ３０８では、指掛かり領域変化があったか否か判断される。このステップ３０８で否定判定された場合は、現状の表示形態を継続する。また、ステップ３０８で肯定判定されると、ステップ３１０へ移行して指掛かりを検出しなくなったか（未検出か）否かが判断される。ステップ３１０で否定判定されると、指掛かりが継続、かつ指掛かり領域が変化したと判断し、ステップ３００へ戻り、上記工程を繰り返す。すなわち、指掛かり領域の変化により、ＥＶＦＬＣＤ４４に表示するスルー画の表示領域を変更する必要があるためである。
【０１２３】
また、ステップ３１０で肯定判定（指掛かりがなくなった）された場合は、ステップ３１２へ移行して、通常表示へ復帰し、このルーチンは終了する。
【０１２４】
図１０は、第１の実施の形態に係る補間警告モードでの、ＯＶＦ画像とＥＶＦ画像の複合画像（接眼部１８から見える画像）の遷移を示したものである。
【０１２５】
図１０（Ａ）は、対物レンズ２０の下半分が指によって遮蔽された状態であり、この状態では、接眼部１８は、下半分が暗く（見えなく）なっている。この状態を検出（第１の実施の形態では、タッチパネルセンサ７４により検出）すると、ＥＶＦＬＣＤ４４には、遮蔽された領域のスルー画を表示する。この結果、ＯＶＦ画像とＥＶＦ画像とが合成され、全ての画像領域を見ることができる。
【０１２６】
図１０（Ｂ）は、対物レンズ２０に向かって左半分が指によって遮蔽された状態であり、この状態では、接眼部１８では、向かって右半分が暗く（見えなく）なっている。この状態を検出（第１の実施の形態では、タッチパネルセンサ７４により検出）すると、ＥＶＦＬＣＤ４４には、遮蔽された領域のスルー画を表示する。この結果、ＯＶＦ画像とＥＶＦ画像とが合成され、全ての画像領域を見ることができる。
【０１２７】
図１０（Ｃ）は、対物レンズ２０に向かって右半分が指によって遮蔽された状態であり、この状態では、接眼部１８では、向かって左半分が暗く（見えなく）なっている。この状態を検出（第１の実施の形態では、タッチパネルセンサ７４により検出）すると、ＥＶＦＬＣＤ４４には、遮蔽された領域のスルー画を表示する。この結果、ＯＶＦ画像とＥＶＦ画像とが合成され、全ての画像領域を見ることができる。
【０１２８】
なお、当然、指掛かり領域が変化すれば、ＥＶＦＬＣＤ４４の表示領域も変化する。より簡易的には、指掛かりが検出された時点で、ＥＶＦＬＣＤ４４を全領域でスルー画を表示しておいてもよいが、基本的には、ＯＶＦ画像のメリット（応答性等）が薄れるため、指掛かり領域のみの表示が好ましい。
【０１２９】
（補間警告モードの変形例「メカニカルシャッター仕様」）
図１１は、第１の実施の形態の補間警告モードの変形例であり、液晶シャッター４６の代わりにメカニカルシャッタ（左右動作）４６Ｍを用いた場合での、ＯＶＦ画像とＥＶＦ画像の複合画像（接眼部１８から見える画像）の遷移を示したものである。この図１１（Ａ）において、遮蔽パターンは、前記図１０（Ｃ）に対応している。
【０１３０】
すなわち、図１１（Ａ）に示される如く、対物レンズ２０に向かって右半分が指によって遮蔽されると、接眼部１８では、向かって左半分が暗く（見えなく）なる（図１１（Ｂ）参照）。
【０１３１】
そこで、図１１（Ｃ）に示される如く、メカニカルシャッター４６Ｍを動作させて、指掛かり領域を隠す。このメカニカルシャッターによって隠した領域に対応して、ＥＶＦＬＣＤ４４には、遮蔽された領域のスルー画を表示する（図１１（Ｄ）参照）。この結果、図１１（Ｅ)に示される如く、ＯＶＦ画像とＥＶＦ画像とが合成され、全ての画像領域を見ることができる。
【０１３２】
なお、この変形例では、左から徐々に遮蔽する動作をするメカニカルシャッター４６Ｍのみとしたが、右から動作するもの、上から動作するもの、下から動作するもの、絞り機構のように周囲から中心に向けて動作するもの、筋状に配列されたブラインドが独立して動作するもの等、別の動作をするメカニカルシャッターでもよいし、複数を併用してもよい。
【０１３３】
（簡易警告モード制御）
図１２は、前記図６のステップ２１０で実行される簡易警告モード制御サブルーチンを示すフローチャートである。
【０１３４】
ステップ３５０では、指掛かり領域を特定し、次いでステップ３５２へ移行して液晶シャッター４６により、指掛かり領域の遮光処理を実行する。次のステップ３５４では、指掛かり領域内に入るように、警告メッセージを作成し、次いでステップ３５６へ移行してＥＶＦＬＣＤ４４へ指掛かり領域に警告メッセージを表示する。なお、このとき、警告メッセージは、白文字（或いは相対的に明るい色の文字）、背景は黒表示（相対的に暗い色）が好ましい。
【０１３５】
次のステップ３５８では、指掛かり領域変化があったか否か判断される。このステップ３５８で否定判定された場合は、現状の表示形態を継続する。また、ステップ３５８で肯定判定されると、ステップ３６０へ移行して指掛かりを検出しなくなったか（未検出か）否かが判断される。ステップ３６０で否定判定されると、指掛かりが継続、かつ指掛かり領域が変化したと判断し、ステップ３５０へ戻り上記工程を繰り返す。すなわち、指掛かり領域の変化により、ＥＶＦＬＣＤ４４に表示する警告メッセージの表示領域や大きさを変更する必要があるためである。
【０１３６】
また、ステップ３６０で肯定判定（指掛かりがなくなった）された場合は、ステップ３６２へ移行して、通常表示へ復帰し、このルーチンは終了する。
【０１３７】
図１３は、簡易警告モードでの、ＯＶＦ画像とＥＶＦ画像の複合画像（接眼部１８から見える画像）の遷移を示したものである。
【０１３８】
図１３（Ａ）は、指掛かりが無い状態（通常状態）であり、接眼部１８には、ＯＶＦ画像が見える。
【０１３９】
図１３（Ｂ）は、対物レンズ２０の下半分が指によって遮蔽された状態であり、この状態では、接眼部１８は、下半分が暗く（見えなく）なっている。この状態を検出（第１の実施の形態では、タッチパネルセンサ７４により検出）すると、ＥＶＦＬＣＤ４４には、指掛かりがあることを示す警告メッセージをＥＶＦＬＣＤ４４の下半分に表示される。なお、このとき、ＥＶＦＬＣＤ４４におけるＯＶＦ画像が見ている領域に対応する領域は、黒表示とすることが好ましい。
【０１４０】
図１３（Ｃ）は、対物レンズ２０の全領域が指によって遮蔽された状態であり、この状態では、接眼部１８は、全てが暗く（何も見えなく）なっている。この状態を検出（第１の実施の形態では、タッチパネルセンサ７４により検出）すると、ＥＶＦＬＣＤ４４には、指掛かりがあることを示す警告メッセージをＥＶＦＬＣＤ４４の全領域に表示される。
【０１４１】
図１３（Ｄ）は、対物レンズ２０の一部の領域が指によって遮蔽された状態であり、この状態では、接眼部１８は、当該一部の領域が暗く（見えなく）なっている。この状態を検出（第１の実施の形態では、タッチパネルセンサ７４により検出）すると、ＥＶＦＬＣＤ４４には、指掛かりがあることを示す警告メッセージをＥＶＦＬＣＤ４４の下半分に表示される。なお、このとき、ＥＶＦＬＣＤ４４におけるＯＶＦ画像が見ている領域に対応する領域は、黒表示とすることが好ましい。
【０１４２】
なお、第１の実施の形態では、指掛かり対応モードとして、情報表示モード、補間警告モード、簡易警告モードの３種類を選択的に適用可能としたが、何れか１つのモードを固定的に使用してもよい。
【０１４３】
（第２の実施の形態）
第１の実施の形態では、図５に示すモード登録制御において、登録するモードを、図６に示す、情報表示モード、補間警告モード、簡易警告モードとしたが、登録するモードとしては、上記モード種に限定されるものではない。
【０１４４】
そこで、第２の実施の形態では、モード種撮として、撮影アシストモードを設定した。撮影アシストモードは、指掛かりの検出によって、レリーズボタン１４の操作と同等の機能を持たせるものである。
【０１４５】
撮影は、基本的には、前記レリーズボタン１４の全押し（半押しでのピント調整を含む）によって実行される。しかしながら、所謂シャッターチャンスを逃さずに、迅速に撮影する場合に半押し状態で一旦止めずに全押ししたとしても、レリーズボタン１４の押圧ストローク、並びに押圧力等により、撮影時期が遅延する場合がある。
【０１４６】
そこで、シャッターチャンスを重視するような撮影状況のとき、前記指掛かり対応モードとして、撮影アシストモードを登録する。
【０１４７】
この撮影アシストモードの基本的の操作としては、以下の手順で実行される。
（手順１）  図８（Ｄ）に示すように、フォーカス領域を特定するための指掛かり動作を行い（ＥＶＦＬＣＤ４４によるフォーカス枠表示）、ＡＦ動作を実行する。これは、表１に示す分類２に相当するものである。
（手順２）  その後、例えば、対物レンズ２０の上から下への一連の指掛かり動作を検出したら、撮影する。これは、表１に示す分類３に相当するものであり、表１では、記載を省略したが、撮影アシストモードにおいて、例えば、上から下への動作が「フォーカス後撮影実行」に対応させておけばよい。
【０１４８】
この第２の実施の形態によれば、ユーザーは、手順１→手順２に従った操作を、接眼部１８を覗きながら、対物レンズ２０への指タッチで行うことができるため、特に、動きの早い被写体に対して、迅速にフォーカス領域を定め、かつ迅速に撮影することが必要な状況に有用となる。
【０１４９】
（第３の実施の形態）
第３の実施の形態は、前記第２の実施の形態で示した撮影アシストモードの簡易版であり、フォーカスは固定（例えば、絞り機構を絞っておき、焦点深度を深くしておいてもよい）で、とにかくシャッターチャンスの逃さないための操作を追加してもよい。
【０１５０】
手順としては、例えば、対物レンズ２０の左右の動作を検出したら、撮影する。これは、表１に示す分類３に相当するものであり、表１では、記載を省略したが、撮影アシストモードにおいて、例えば、左右の動作が「即撮影実行」に対応させておけばよい。
【０１５１】
この第３の実施の形態によれば、ユーザーは、接眼部１８を覗きながら、対物レンズ２０への指タッチで行うことができるため、特に、一瞬の動作が重要な被写体に対して、迅速に撮影することができる。
【０１５２】
なお、第２の実施の形態、第３の実施の形態における、指掛かりのパターンと、動作との対応は上記に限定されるものではなく、所謂クリック、ダブルクリック操作等別の指掛かり動作に基づいて撮影等を行うようにしてもよい。
【０１５３】
また、レリーズボタン１４の操作（押圧操作）に準じるように、圧力センサを内蔵（併用）してもよい。圧力センサであれば、押圧ストロークが不要である分、シャッターチャンスを逃さず、迅速に撮影が可能となる。
【０１５４】
（変形例１）
第１〜第３の実施の形態では、対物レンズ２０の指掛かりを、タッチパネルセンサ７４（状態検出手段）によって検出するようにしたが、状態検出手段としては、タッチパネルセンサ７４に限られるものではない。例えば、指の静電気を検出する静電センサ等であてもよいし、図１４に示される如く、ＯＶＦ画像がハーフミラー４８を透過するときの一部の光（ａ％）を反射させて、一部の反射光をＣＣＤやＣＭＯＳ等のエリアセンサ７４Ａ等で検出し、ＥＶＦＬＣＤ４４の出力される光量のａ％分との差分を各エリア毎にコンパレータ７４Ｂで比較して、その差が基準値７４Ｃ以上となったときに指掛かりがあっか否かをＨ／Ｌ信号によって判別するようにしてもよい。
【０１５５】
（変形例２）
第１〜第３の実施の形態では、所謂コンパクトデジタルカメラ１０を適用して説明したが、図１５に示される、ハイスペックデジタルカメラ（一眼レフデジタルカメラ）１０Ｈにも適用可能である。なお、デジタルカメラ１０と同一部品名については、符号の末尾に「Ｈ」を付して、その構成の説明を省略する。この一眼レフデジタルカメラ１０Ｈでは、ＯＶＦ表示が撮像レンズ１２Ｌを介して実行されることになる。このため、指掛かりも、この撮像レンズ１２Ｌが対象となる。
【０１５６】
しかしながら、撮像レンズ１２Ｌへの指掛かりは撮像そのものに影響を及ぼすため、一眼レフデジタルカメラ１０Ｈにおいて、本願発明を適用する場合、別途、指掛かり操作部７４Ｈを設けるようにしてもよい。この指掛かり操作部７４は、タッチパネルセンサで構成され、接触した領域が電子的に認識され、ＥＶＦ画像に付加すればよい。これにより、ユーザーは、ファインダー（接眼部１８Ｈ）を覗きながら、指掛かり操作部２８Ｈの操作によって、様々な項目情報の選択実行が可能となる。
【符号の説明】
【０１５７】
１０    デジタルカメラ（撮像装置）
１２Ｌ    レンズ
１２    鏡筒
１４    レリーズボタン
１６    電源スイッチ
１８    接眼部（ファインダー部）
２０    対物レンズ（ファインダー部）
２２    背面ＬＣＤ
２４    モード切替スイッチ
２６    十字カーソルボタン
２２ＴＰ    タッチパネル
２８    操作部
３０    ＣＣＤ
３２    メインコントローラ
３４    鏡筒駆動ドライバ
３６    ＬＣＤＩ／Ｆ
３８    外部メモリＩ／Ｆ
４０    メモリカード
４２    ＬＣＤＩ／Ｆ
４４    ＥＶＦＬＣＤ（表示部、ファインダー部）
４６    液晶シャッター（遮光手段）
４８    光路（画像案内手段、ファインダー部）
５０  光路（画像案内手段、ファインダー部）
５２  ハーフミラー（画像案内手段、ファインダー部）
５４    アナログ信号処理部
５６    アナログ／デジタル変換器（ＡＤＣ）
５８    メモリ
６０    デジタル信号処理部
６２    ＬＣＤＩ／Ｆ
６４    ＬＣＤＩ／Ｆ
６６    ＣＰＵ
６８    圧縮・伸張処理回路
７０    システムバス
７２    タイミングジェネレータ
７４    タッチパネルセンサ（遮蔽状態検出手段）
１００    指掛かり領域認識部（認識手段）
１０２    現モード判別部
１０４    照合部（認識手段）
１０６    遮蔽パターン認識モード登録部
１０８    モード別読出部
１１０    記憶部（記憶手段）
１１０Ａ    情報表示モード用テーブル
１１０Ｂ    警告メッセージデータメモリ部
１１２    処理実行制御部（表示制御手段）
１１４    指定項目実行指示部（表示制御手段）
【図１】
2012065283.tif 000004
【図２】
2012065283.tif 000005
【図３】
2012065283.tif 000006
【図４】
2012065283.tif 000007
【図５】
2012065283.tif 000008
【図６】
2012065283.tif 000009
【図７】
2012065283.tif 000010
【図８】
2012065283.tif 000011
【図９】
2012065283.tif 000012
【図１０】
2012065283.tif 000013
【図１１】
2012065283.tif 000014
【図１２】
2012065283.tif 000015
【図１３】
2012065283.tif 000016
【図１４】
2012065283.tif 000017
【図１５】
2012065283.tif 000018